(57)【要約】【課題】本発明は、極めて商品価値の高い画期的な換気口を提供することを目的とする。【解決手段】通気機能を有するダクト２に付設される換気口３であって、この換気口３は、前記ダクト２に設けられる筒部４と、この筒部４に連設され下部に水溜部６を有する換気部５とで構成され、前記水溜部６には止水機構Ｋを具備した排水部８が設けられ、更に、前記水溜部６には該水溜部６に溜まった水の水位を視認し得る水位視認部７が設けられているものである。【選択図】図１
2008164232.tif 000002
【特許請求の範囲】
【請求項１】
通気機能を有するダクトに付設される換気口であって、この換気口は、前記ダクトに設けられる筒部と、この筒部に連設され下部に水溜部を有する換気部とで構成され、前記水溜部には止水機構を具備した排水部が設けられ、更に、前記水溜部には該水溜部に溜まった水の水位を視認し得る水位視認部が設けられていることを特徴とする換気口。
【請求項２】
請求項１記載の換気口において、前記止水機構は、前記水溜部に設けられる排水口を閉塞する止水弁を押し込み操作することで止水状態が解除される構造であることを特徴とする換気口。
【請求項３】
請求項１記載の換気口において、前記止水機構は、前記水溜部に設けられる排水口を閉塞する止水弁を引き抜き操作することで止水状態が解除される構造であり、この止水弁には、この止水弁を引き抜いて止水状態を解除した際、前記排水口に係止して抜け落ちるのを防止する係止部が設けられていることを特徴とする換気口。
【請求項４】
請求項１〜３いずれか１項に記載の換気口において、前記換気部は正面板部と該正面板部の周縁に立ち上がり状に連設される周面板部とから成る筒状体であり、前記水溜部は、前記換気部内に容体を配設して構成されていることを特徴とする換気口。
【請求項５】
請求項４記載の換気口において、前記換気部を構成する正面板部にして前記容体が配設される位置には窓部が設けられ、一方、前記容体にして少なくとも前記窓部と合致する位置には透明部が設けられ、前記水位視認部は前記窓部及び透明部で構成されていることを特徴とする換気口。
【請求項６】
請求項４記載の換気口において、前記換気部を構成する周面板部にして前記容体が配設される位置には切欠部が設けられ、一方、前記容体には前記切欠部に嵌入されて前記周面板部から外部に突出する透明部が設けられ、前記水位視認部は前記透明部で構成されていることを特徴とする換気口。
【発明の詳細な説明】
【技術分野】
【０００１】
本発明は、換気口に関するものである。
【背景技術】
【０００２】
近年、浴室に配した洗濯物を乾燥させる浴室乾燥装置を具備した住宅（特に集合住宅）が増えている。
【０００３】
ところで、この浴室乾燥装置からの水蒸気を多く含んだ空気は、建物の壁構造内に設けられたダクトを通過して外壁に設けられる換気口から排気されるが、この排気にともないダクト内及び換気口内で生じる結露水が換気口の下端部から落下し、この換気口から落下する水により外壁が汚れてしまったり、また、この換気口が通路上に設置されている場合、強風などにより、当該換気口から落下する水が人に当ってしまうなどの問題がある。
【０００４】
そこで、従来、前述した問題に対応すべく、例えば特開２００２−７１２０３号に開示される排水機能を具備した換気口（以下、従来例）が提案されている。
【０００５】
この従来例は、ダクトに嵌入される筒部と、該筒部に連設され下部に水溜部を有する換気部とで構成されており、この換気部の水溜部には排水ホースが接続される排水部が設けられている。
【０００６】
従って、ダクト内及び換気口内で生じる結露水は、一度水溜部に集められた後、排水ホースを通過して任意の場所へ誘導されることになる為、前述した換気口から水が落下することで生じる問題は解消される。
【０００７】
【特許文献１】特開２００２−７１２０３号公報
【発明の開示】
【発明が解決しようとする課題】
【０００８】
しかしながら、従来例は、前述したように排水ホースが垂下された状態であり、この排水ホースにより極めて体裁が悪く、しかも、実際にはこの排水ホースに付着する汚れ（雨水や塵埃など）により該排水ホース周辺の壁が汚れてしまうなどの問題が生じている。
【０００９】
本発明は、上述した問題点を解消する、極めて商品価値の高い画期的な換気口を提供するものである。
【課題を解決するための手段】
【００１０】
添付図面を参照して本発明の要旨を説明する。
【００１１】
通気機能を有するダクト２に付設される換気口３であって、この換気口３は、前記ダクト２に設けられる筒部４と、この筒部４に連設され下部に水溜部６を有する換気部５とで構成され、前記水溜部６には止水機構Ｋを具備した排水部８が設けられ、更に、前記水溜部６には該水溜部６に溜まった水の水位を視認し得る水位視認部７が設けられていることを特徴とする換気口に係るものである。
【００１２】
また、請求項１記載の換気口において、前記止水機構Ｋは、前記水溜部６に設けられる排水口８ａを閉塞する止水弁10を押し込み操作することで止水状態が解除される構造であることを特徴とする換気口に係るものである。
【００１３】
また、請求項１記載の換気口において、前記止水機構Ｋは、前記水溜部６に設けられる排水口８ａを閉塞する止水弁26を引き抜き操作することで止水状態が解除される構造であり、この止水弁26には、この止水弁26を引き抜いて止水状態を解除した際、前記排水口８ａに係止して抜け落ちるのを防止する係止部26ａが設けられていることを特徴とする換気口に係るものである。
【００１４】
また、請求項１〜３いずれか１項に記載の換気口において、前記換気部５は正面板部５ａと該正面板部５ａの周縁に立ち上がり状に連設される周面板部５ｂとから成る筒状体であり、前記水溜部６は、前記換気部５内に容体９を配設して構成されていることを特徴とする換気口に係るものである。
【００１５】
また、請求項４記載の換気口において、前記換気部５を構成する正面板部５ａにして前記容体９が配設される位置には窓部11が設けられ、一方、前記容体９にして少なくとも前記窓部11と合致する位置には透明部12が設けられ、前記水位視認部７は前記窓部11及び透明部12で構成されていることを特徴とする換気口に係るものである。
【００１６】
また、請求項４記載の換気口において、前記換気部５を構成する周面板部５ｂにして前記容体９が配設される位置には切欠部14が設けられ、一方、前記容体９には前記切欠部14に嵌入されて前記周面板部５ｂから外部に突出する透明部９ａが設けられ、前記水位視認部７は前記透明部９ａで構成されていることを特徴とする換気口に係るものである。
【発明の効果】
【００１７】
本発明は上述のように構成したから、例えばダクト内及び換気口内で生じる水を確実且つ良好に処理することができ、しかも、前述した従来例と異なり、体裁を悪くし且つ壁を汚してしまう原因となる排水ホースは不要となるなど極めて商品価値の高い画期的な換気口となる。
【発明を実施するための最良の形態】
【００１８】
好適と考える本発明の実施形態を、図面に基づいて本発明の作用を示して簡単に説明する。
【００１９】
例えば浴室乾燥装置から排出される水蒸気を多く含んだ空気はダクト２を通過して換気口３から外気へ排気される。
【００２０】
この際、例えばダクト２内及び換気口３（筒部４、換気部５）内で生じる水（結露水）は換気部５の下部に設けられる水溜部６に溜まる。
【００２１】
この水溜部６に溜まった水の水位は水位視認部７で確認することができ、この水位を見て溜まった水が任意の量となったところで排水部８から排水する。この排水部８からの排水は止水機構Ｋにおける止水状態を解除することで行われる。
【００２２】
従って、ダクト２内及び換気口３内で生じる水を確実且つ良好に処理することができ、しかも、前述した従来例と異なり、体裁を悪くし且つ壁を汚してしまう原因となる排水ホースは不要となる。
【実施例１】
【００２３】
本発明の具体的な実施例１について図１〜７に基づいて説明する。
【００２４】
本実施例は、通気機能を有するダクト２に付設される換気口３である。
【００２５】
尚、本実施例では、この通気機能を有するダクト２として、浴室に配した洗濯物を乾燥させる浴室乾燥装置から延設され建物１の壁構造に配されるダクト２を採用しているが、これに限られないのは勿論である。
【００２６】
具体的には、換気口３は、ダクト２に嵌入される筒部４と、該筒部４に連設される換気部５とで構成されている。尚、筒部４と換気部５とは一体成形したものでも良い。
【００２７】
筒部４は、図１に図示したように適宜な金属製の部材で形成した筒状体であり、この筒部４の先端部には換気部５に被嵌連結するための筒状連結部４ａが設けられている。
【００２８】
この筒状連結部４ａを換気部５の基端部に被嵌し、互いの重合部位にネジ15を止着することで筒部４と換気部５とは連結される。
【００２９】
符号４ｂはネジ孔、４ｃはダクト２に嵌挿させた際に該ダクト２に対して押圧状態で固定するための固定部である。
【００３０】
換気部５は、図１に図示したように適宜な金属製の部材で形成したものであり、正面視円形状の正面板部５ａと該正面板部５ａの周縁に立ち上がり状に連設される周面板部５ｂとから成る筒状体である。
【００３１】
正面板部５ａの上方部位には換気窓16が複数並設されている。
【００３２】
この換気窓16は、正面板部５ａを排風制御片17ａ付き桟板部17を残してプレス加工により打ち抜くことで形成される。
【００３３】
この換気窓16は、上方所定位置においては左右方向に延設されて上下方向に複数並設され、下方所定位置においては上下方向に延設されて左右方向に複数並設されている。
【００３４】
この上方所定位置に設けられる換気窓16は下方向に排風されるように排風制御片17ａの向きが設定され、下方所定位置に設けられ正面方向から見て中央から左側の換気窓16は左方向に排風されるように排風制御片17ａの向きが設定され、下方所定位置に設けられ正面方向から見て中央から右側の換気窓16は右方向に排風されるように排風制御片17ａの向きが設定されている。
【００３５】
従って、本実施例に係る換気口３からは三方向への排気が行われる。
【００３６】
また、正面板部５ａの下方中央部位には窓部11が設けられている。
【００３７】
この窓部11は、図１，２に図示したように長窓状に形成された孔であり、換気部５内に配設される後述する容体９の透明部12がこの窓部11に位置するように設けられ、この窓部11及び透明部12が水位視認部７となる。
【００３８】
符号21は容体９に設けられる排水部８から排水される水を通過せしめる通過孔、22はネジ孔、23は換気部５内に配設される容体９を位置決めする位置決め凸部である。
【００３９】
また、換気部５には水溜部６が設けられている。
【００４０】
この水溜部６は、図１に図示したように換気部５内に容体９を着脱自在に配設して構成されている。
【００４１】
この容体９は、図１，２に図示したように適宜な透明樹脂製の部材で形成したものであり、この容体９の正面部（透明部12）は、換気部５内の下方部位に配設された際、窓部11の位置に配設され、よって、容体９内の水の量をこの窓部11から確認し得ることになる。
【００４２】
尚、図６，７に図示したように換気部５の周面板部５ｂにスリット状の切欠部14を二本設けると共に、この切欠部14に配設される透明部としてのコ字状の連通管部９ａを容体９の側面に突設し、この連通管部９ａを水位視認部７とする構成でも良い。
【００４３】
また、水溜部６には止水機構Ｋを具備した排水部８が設けられている。
【００４４】
この排水部８は、図３，４に図示したように容体９の底部に排水口８ａを貫通状態に設けて構成され、この排水口８ａは止水機構Ｋにより止水される。
【００４５】
止水機構Ｋは、図３，４に図示したように排水口８ａを閉塞する止水弁10を設けて構成されており、この止水弁10は、排水口８ａを跨いだ状態で設けられるコ字状の支持部９ｂに垂下されるガイド棒19に対してスライド移動自在に設けられており、前記ガイド棒19に被嵌される発条20（コイルバネ）により常時下方（排水口８ａを閉塞する閉塞方向）に付勢されている。
【００４６】
従って、止水弁10を下方から押し込み操作（押し上げ操作）することで止水状態が解除されることになる（図５参照）。
【００４７】
符号24はパッキンである。
【００４８】
本実施例は上述のように構成したから、浴室乾燥装置から排出される水蒸気を多く含んだ空気はダクト２を通過して換気口３から外気へ排気される。
【００４９】
この際、例えばダクト２内及び換気口３（筒部４、換気部５）内で生じる水（結露水）は換気部５の下部に設けられる水溜部６に溜まる。
【００５０】
この水溜部６に溜まった水の水位は水位視認部７で確認することができ、この水位を見て任意のところで排水部８から排水する。この排水部８からの排水は止水機構Ｋにおける止水状態を解除することで行われ、図５に図示したように排水部８からの排水は受け容器30で受ける。
【００５１】
よって、本実施例によれば、ダクト２内及び換気口３内で生じる水を確実且つ良好に処理することができ、しかも、前述した従来例と異なり、体裁を悪くし且つ壁を汚してしまう原因となる排水ホースは不要となる。
【００５２】
また、本実施例は、止水機構Ｋは、水溜部６に設けられる排水口８ａを閉塞する止水弁10を押し込み操作することで止水状態が解除される構造であるから、極めて簡易な操作で排水作業が行えることになる（特に換気口３が高所に設置されている場合などには有効である。）。
【００５３】
また、本実施例は、換気部５は正面板部５ａと該正面板部５ａの周縁に立ち上がり状に連設される周面板部５ｂとから成る筒状体であり、水溜部６は、換気部５内に容体９を配設して構成されているから、簡易構造でありながら確実に換気部５に水溜部６を具備せしめることができ、しかも、水留部６は換気部５に対して着脱自在であるから、容体９を掃除したり交換したりするなどのメンテナンスが良好に行えることになる。
【実施例２】
【００５４】
本発明の具体的な実施例２について図８に基づいて説明する。
【００５５】
本実施例は、別タイプの止水機構Ｋを具備した排水部８を設けている。
【００５６】
具体的には、図８に図示したように排水口８ａに押圧嵌入する止水弁26を設けており、この止水弁26の基端部には排水口８ａよりも径大な係止部26ａが設けられている。
【００５７】
従って、止水状態にある止水弁26の先端部を摘んで引き抜くことで迅速且つ確実に止水状態を解除することができ、しかも、止水弁26を引き抜いて止水状態を解除した際、係止部26ａが排水口８ａに係止することで抜け落ちるのが防止される。
【００５８】
その余は実施例１と同様である。
【実施例３】
【００５９】
本発明の具体的な実施例３について図９に基づいて説明する。
【００６０】
本実施例は、別タイプの止水機構Ｋを具備した排水部８を設けている。
【００６１】
具体的には、図９に図示したように排水口８ａに、外筒27Ａと、この外筒27Ａ内に回動自在に配される内筒27Ｂとから成る止水栓27を設けており、内筒28を回動させて外筒27Ａに設けた孔27ａと内筒27Ｂに設けた孔27ｂとが合致した際、止水状態が解除されるように構成されている。
【００６２】
従って、止水栓27を回動操作することで迅速且つ確実に止水状態を解除することができる。
【００６３】
その余は実施例１と同様である。
【実施例４】
【００６４】
本発明の具体的な実施例４について図10に基づいて説明する。
【００６５】
本実施例は、止水機構Ｋを具備した排水部８を設けている。
【００６６】
具体的には、図10に図示したように排水口８ａの下方に垂下形成される筒状部28Ａと、この筒状部28Ａに螺着するネジ体28Ｂとから成る止水栓28を設けており、ネジ体28Ｂを緩めた際、止水状態が解除されるように構成されている。
【００６７】
従って、止水栓28を回動操作することで迅速且つ確実に止水状態を解除することができる。
【００６８】
その余は実施例１と同様である。
【実施例５】
【００６９】
本発明の具体的な実施例５について図11に基づいて説明する。
【００７０】
本実施例は、止水機構Ｋを具備した排水部８を設けている。
【００７１】
具体的には、図11に図示したように排水口８ａの下方に垂下形成される筒状部29Ａと、この筒状部29Ａ内に回転自在に設けられる回転羽根29Ｂを設けており、図示省略の操作部の操作により回転羽根29Ｂを回転させた際、止水状態が解除されるように構成されている。
【００７２】
従って、回転羽根29Ｂを回動操作することで迅速且つ確実に止水状態を解除することができる。
【００７３】
その余は実施例１と同様である。
【図面の簡単な説明】
【００７４】
【図１】実施例１を示す分解斜視図である。
【図２】実施例１に係る要部の部分正面図である。
【図３】実施例１に係る要部の説明断面図である。
【図４】実施例１に係る要部の使用状態説明図である。
【図５】実施例１に係る要部の使用状態説明図である。
【図６】実施例１に係る別タイプの水位視認部７の説明図である。
【図７】実施例１に係る別タイプの水位視認部７の説明図である。
【図８】実施例２に係る要部の動作説明図である。
【図９】実施例３に係る要部の動作説明図である。
【図１０】実施例４に係る要部の動作説明図である。
【図１１】実施例５に係る要部の動作説明図である。
【符号の説明】
【００７５】
Ｋ  止水機構
２  ダクト
３  換気口
４  筒部
５  換気部
５ａ  正面板部
５ｂ  周面板部
６  水溜部
７  水位視認部
８  排水部
８ａ  排水口
９  容体
９ａ  透明部
10  止水弁
11  窓部
12  透明部
14  切欠部
26  止水弁
26ａ  係止部
【図１】
2008164232.tif 000003
【図２】
2008164232.tif 000004
【図３】
2008164232.tif 000005
【図４】
2008164232.tif 000006
【図５】
2008164232.tif 000007
【図６】
2008164232.tif 000008
【図７】
2008164232.tif 000009
【図８】
2008164232.tif 000010
【図９】
2008164232.tif 000011
【図１０】
2008164232.tif 000012
【図１１】
2008164232.tif 000013